(57)【要約】【課題】形状及び動きに視覚的に面白みを感じさせる景品捕獲部材を用いて、直感的な操作で景品を捕獲することが可能な景品捕獲遊技機の提供。【解決手段】正面窓４及び側面窓５が設けられた筐体２と、筐体内に設けられた遊技領域３と、網部材、第一補助鎖、第二補助鎖を備えた景品捕獲器４０を水平移動可能かつ昇降可能に、回動可能な水平移動レール３１に懸架された昇降装置に懸垂し、回転付与手段によって景品捕獲器４０を回転させて捕獲口を拡縮させて景品Ｋを捕獲する景品捕獲装置１５と、多数の突起８が配設された景品載置面６と、景品払出口７と、景品取出口２３と、操作部２０とを具備する。【選択図】図１
2008113751.tif 000002
【特許請求の範囲】
【請求項１】
景品が載置される景品載置面と、
前記景品を捕獲するために前記景品載置面の上方の所定位置に吊下げられて保持され、上端を固定端、下端を自由端とするとともに、環状に配置され、中心の鉛直方向を回転軸として回転させることにより前記上端を中心として放射状に展開される景品捕獲部材と、
前記所定位置に吊下げられた前記景品捕獲部材に対し回転力を付与する回転付与手段と、
前記景品捕獲部材の吊下保持状態を維持及び解除させることが可能な保持解除手段と、
前記景品捕獲部材の回転中に、前記保持解除手段によって前記景品捕獲部材の吊下保持状態を解除することにより、前記景品捕獲部材を前記回転付与手段から切離すとともに、前記景品捕獲部材を回転させたまま前記景品載置面上に降下または投下させ、前記景品載置面に載置された景品に前記景品捕獲部材を覆い被せることを可能にする景品捕獲制御手段と、
前記景品捕獲部材の上端側に接続され、前記景品捕獲部材の降下または投下に伴って繰出される紐状部材と、
該紐状部材を介して前記景品捕獲部材を上方に引上げることが可能な引上げ駆動手段と、
前記景品捕獲部材が前記景品載置面上に着地した後、前記引上げ駆動手段を動作させ、前記景品捕獲部材を前記所定位置まで引上げる景品引上制御手段と、
前記景品載置面の上方において略水平方向に配置され、前記所定位置と景品払出口の上方とを繋ぐ水平移動レール、及び該水平移動レールに沿って前記景品捕獲部材及び前記回転付与手段を移動させる水平移動駆動手段を有する移送装置と、
所定位置まで引上げられた前記景品捕獲部材、及び前記回転付与手段を、前記水平移動駆動手段によって前記景品払出口の上方まで移動させる景品移送制御手段と、
前記景品払出口の上方まで移動した前記景品捕獲部材を前記回転付与手段によって回転させ放射状に展開させる景品排出制御手段と
を具備することを特徴とする景品捕獲遊技機。
【請求項２】
前記景品捕獲部材は、
網状であり、上端が捕獲部材基部に固定され、下端に輪状に開口した捕獲口を有し、
紐状、鎖状またはコイルバネ状を呈し、前記捕獲口を収縮させる捕獲口収縮部材、
及び紐状または鎖状を呈し、前記捕獲口に対して複数箇所においてループ状に着設され、前記景品に前記景品捕獲部材が覆い被さった時に前記景品の下方に廻り込む捕獲補助部材
を備え、
前記景品を捕獲するために前記景品載置面の上方の所定位置に吊下げられて保持され、中心の鉛直方向を回転軸として回転させることにより前記捕獲口が開拡される一方、回転が停止すると前記捕獲口収縮部材の働きと重力に従った垂下により前記捕獲口が収縮することを特徴とする請求項１に記載の景品捕獲遊技機。
【請求項３】
前記景品載置面は、少なくとも１箇所の突出した形状を呈する突出部を更に備え、前記景品載置面の上に載置される景品の全部または一部を前記突出部に載せて景品の下方に空隙を設けて載置可能であることを特徴とする請求項１または請求項２に記載の景品捕獲遊技機。
【請求項４】
前記回転付与手段は可動支持部によって揺動可能に支持されており、前記景品捕獲部材は、前記所定位置において前記回転付与手段によって前記景品捕獲部材の回転軸を略水平方向に揺動可能に支持され、前記景品捕獲部材が前記初期位置にあって前記回転付与手段によって回転駆動される時に、前記景品捕獲部材の回転軸が略水平方向に揺動することを特徴とする請求項１乃至請求項３のいずれか一つに記載の景品捕獲遊技機。
【発明の詳細な説明】
【技術分野】
【０００１】
本発明は、景品載置面に載置されている景品の獲得を行う景品捕獲遊技機に関するものである。
【背景技術】
【０００２】
従来より、内部が視認可能な透明窓をもつケース内に設けられた景品載置面や景品載置台に載置された景品を、同じくケース内に設置された景品捕獲装置を操作して獲得する様々な景品捕獲遊技機が知られている。特に一般的なものとしては、クレーン状の景品捕獲装置を備えており、景品捕獲器として、開閉可能な一組の爪状部材を使用するクレーンゲーム機がある。クレーンゲーム機の景品捕獲器である爪状部材は、前後方向及び横方向に水平移動可能に懸架されており、且つ、景品が載置される景品載置面と景品載置面よりも高所に設けられた水平移動レールとの間で垂直移動可能となっている。景品捕獲器は、遊技者の操作に応じて景品載置面よりも高所にて水平方向に移動し、遊技者が位置決めした位置で停止し、景品載置面近傍まで下降し、爪状部材を開閉させて景品捕獲動作を行う。捕獲器は、景品捕獲動作の後にゲーム開始時の位置まで自動的に移動し、景品を放出する動作を行う。これにより、景品捕獲動作において景品を捕獲できた場合には、景品払出口へと景品を投下する。景品払出口は、遊技者が景品を取り出す景品取出口につながっていて、遊技者は景品を獲得できる。また、景品捕獲動作において景品を捕獲できなかったときには、捕獲器は単に景品を放出する動作のみを行って、景品の払出しは行われないままゲームが終了する。
【０００３】
上記のような従来のクレーンゲーム機の構成を備えた景品捕獲遊技機の一例として、特許文献１を示す。
【０００４】
【特許文献１】特開２００５−８０９４０号公報
【発明の開示】
【発明が解決しようとする課題】
【０００５】
従来の景品捕獲遊技機の多くは、上記のようなクレーンゲーム機の構成を備えており、遊技性がほとんど共通していてゲーム機としての独自性に欠けていた。景品の種類や大きさの違いに応じて、景品捕獲装置の構成等に多少の違いがあっても、上記のような基本構成は共通していた。そして、景品捕獲遊技機同士の差異は、景品の種類によるところが大きく、景品捕獲遊技機自体の意匠性や遊技性については軽視されがちであった。
【０００６】
本発明は、上記の現状に鑑み、形状及び動きに面白みを感じさせる景品捕獲部材を用いて、直観的な操作方法により景品獲得を行う景品捕獲遊技機の提供を課題とするものである。
【課題を解決するための手段】
【０００７】
本発明の景品捕獲遊技機は、「景品が載置される景品載置面と、
前記景品を捕獲するために前記景品載置面の上方の所定位置に吊下げられて保持され、上端を固定端、下端を自由端とするとともに、環状に配置され、中心の鉛直方向を回転軸として回転させることにより前記上端を中心として放射状に展開される景品捕獲部材と、
前記所定位置に吊下げられた前記景品捕獲部材に対し回転力を付与する回転付与手段と、
前記景品捕獲部材の吊下保持状態を維持及び解除させることが可能な保持解除手段と、
前記景品捕獲部材の回転中に、前記保持解除手段によって前記景品捕獲部材の吊下保持状態を解除することにより、前記景品捕獲部材を前記回転付与手段から切離すとともに、前記景品捕獲部材を回転させたまま前記景品載置面上に降下または投下させ、前記景品載置面に載置された景品に前記景品捕獲部材を覆い被せることを可能にする景品捕獲制御手段と、
前記景品捕獲部材の上端側に接続され、前記景品捕獲部材の降下または投下に伴って繰出される紐状部材と、
該紐状部材を介して前記景品捕獲部材を上方に引上げることが可能な引上げ駆動手段と、
前記景品捕獲部材が前記景品載置面上に着地した後、前記引上げ駆動手段を動作させ、前記景品捕獲部材を前記所定位置まで引上げる景品引上制御手段と、
前記景品載置面の上方において略水平方向に配置され、前記所定位置と景品払出口の上方とを繋ぐ水平移動レール、及び該水平移動レールに沿って前記景品捕獲部材及び前記回転付与手段を移動させる水平移動駆動手段を有する移送装置と、
所定位置まで引上げられた前記景品捕獲部材、及び前記回転付与手段を、前記水平移動駆動手段によって前記景品払出口の上方まで移動させる景品移送制御手段と、
前記景品払出口の上方まで移動した前記景品捕獲部材を前記回転付与手段によって回転させ放射状に展開させる景品排出制御手段と
を具備する」ことを特徴とするものである。
【０００８】
ここで、「景品」とは、遊技場に設置される景品捕獲ゲーム機においては、ぬいぐるみ、玩具、菓子類等が一般的に用いられるが、特定の物品に限定するものではなく、例えば装身具、化粧品、本、クッション、タオルなどであってもよい。
【０００９】
本発明によれば、景品捕獲部材は、回転付与手段によって回転駆動されると、回転しながら遠心力により周囲へと下端側が開拡して略円錐状の外観を呈する。従来のクレーンゲーム機は、先端が対向して開閉可能になっている１組の爪状部材を用いているが、ゲーム開始から終了までの間に爪状部材は２回開閉するのみであり、動きが乏しく、ゲームとしては視覚的な面白みが不足しがちであった。一方、本発明によれば、景品捕獲部材が回転運動を行い、下垂していた景品捕獲部材が回転にともなう遠心力で開き、略円錐状に開いて回転を続ける。これにより、遊技者に遊技の開始を認識させるとともに、回転運動のスピード感と、景品捕獲部材が回転にともなって拡がることによる視覚的な新鮮味とを遊技者に感じさせ、ゲームに躍動感を付与することができる。
【００１０】
また、本発明によれば、景品捕獲部材は放射状に展開された状態で景品に覆い被さり、景品を包み込むようにして捕獲するため、従来のクレーンゲーム機の爪状部材では捕獲が困難であった形状の景品も捕獲することができる。例えば、爪状部材では保持が困難であった球状の景品や、箱状の景品であっても景品捕獲部材によって包み込むことで、捕獲可能となる。また、重心が偏っていて爪状部材では保持が困難であった景品についても、本発明の景品捕獲部材によれば保持することができる。
【００１１】
ところで、回転モータを備える回転付与手段が、景品捕獲部材に装着または結合されて景品捕獲部材とともに昇降する構成であると、景品捕獲部材の重量が増大し、昇降駆動手段に対する負荷が増大する虞がある。さらに、降下時に景品や景品載置面に当接して回転付与手段や景品捕獲部材に加わる衝撃が増大することによって故障発生率や破損率が増加する虞がある。これに対し、本発明によれば、景品捕獲部材は回転付与手段から分離され、景品捕獲手段のみが昇降するので、景品捕獲のために昇降する部分の重量を小さくすることができる。これにより、景品捕獲部材の構成を簡素にするとともに、昇降駆動手段に対する負荷の低減と、景品捕獲部材や回転付与手段の故障の虞の低減とが可能となる。
【００１２】
また、本発明によれば、景品を捕獲した後に、景品捕獲部材を景品払出口の上方へと移動して景品捕獲部材を再度回転させると、捕獲された景品を景品払出口に投下することができる。景品を獲得する満足感に加え、景品捕獲部材の内側に保持されて移送された景品が、景品捕獲部材が回転して開拡することで投下される様子の面白みによってゲームの興趣を高めることができる。また、景品を投下するための回転付与手段は、捕獲器を開拡させるものと共通しているので、構成を簡素にできる。
【００１３】
また、従来のクレーンゲーム機においては、他のクレーンゲーム機との差別化の手段は、人気のある景品の採用であったり、新奇な景品の採用であったりした。すなわち、景品の種類がクレーンゲーム機を特徴づけるものとなっており、景品が魅力的でない場合には、クレーンゲーム機の稼働率が著しく低下する虞があった。このため、遊技場にとっては景品を在庫するための倉庫の準備や、人気に応じた景品の入荷調整の必要があり、経営の負担となっていた。これに対し、本発明によれば、景品捕獲部材の動きが独特であり、視覚的に新鮮さを感じさせることができる。さらに、直感的に景品を狙うことができる操作方法を備えている。これらの特徴によって、景品の人気に依存しない魅力を有する景品捕獲遊技機を提供できる。さらに、上記のように従来のクレーンゲーム機の爪状部材では捕獲が困難な形状の景品等、従来よりも多様な景品を提供できるので、遊技者の満足度の向上を図ることができる。
【００１４】
本発明の景品捕獲遊技機は、「前記景品捕獲部材は、
網状であり、上端が捕獲部材基部に固定され、下端に輪状に開口した捕獲口を有し、
紐状、鎖状またはコイルバネ状を呈し、前記捕獲口を収縮させる捕獲口収縮部材、
及び紐状または鎖状を呈し、前記捕獲口に対して複数箇所においてループ状に着設され、前記景品に前記景品捕獲部材が覆い被さった時に前記景品の下方に廻り込む捕獲補助部材
を備え、
前記景品を捕獲するために前記景品載置面の上方の所定位置に吊下げられて保持され、中心の鉛直方向を回転軸として回転させることにより前記捕獲口が開拡される一方、回転が停止すると前記捕獲口収縮部材の働きと重力に従った垂下により前記捕獲口が収縮する」構成とすることもできる。
【００１５】
本構成によれば、景品捕獲部材が網状であり、下垂した状態から回転して開拡する様子、及び開拡した状態から閉縮する様子が柔らかな動きを呈する。従来のクレーンゲーム機の爪状部材が、機械的な開閉運動をするのに対し、差異が明瞭であり、遊技者に対してより強い視覚的印象を与えることができる。
【００１６】
また、本構成によれば、網状の景品捕獲部材によって景品を捕獲するので、景品の形状が様々であっても捕獲可能である。すなわち、例えば、ボールなど、景品の形状に凹凸が乏しいものは、従来のクレーンゲーム機の爪状部材では捕獲が困難であったが、本発明の景品捕獲部材によれば捕獲可能である。また、例えば十字架のような形状をした景品など、外形に大きな凹凸があったり、重心が偏ったりしたものは、爪状部材を用いて挟んだとしても、把持する過程においてモーメントの偏りが生じて景品が爪状部材の開放されている方向に向けて回転して落下しやすかったのに対し、本構成の網状の景品捕獲部材によれば、閉縮時の網体の中に収まる大きさの景品であれば、景品の形状は特に関係なく捕獲することができる。これにより、従来のクレーンゲーム機では景品として用いることが困難であった形態の景品を使用した景品捕獲遊技機を提供することが可能となる。
【００１７】
さらに、本構成によれば、景品が動いていても捕獲することが可能である。すなわち、電動モータ等で動いている玩具等であっても、網状の景品捕獲部材の内側に収まる大きさであれば、包み込むようにして捕獲することができる。
【００１８】
また、本構成によれば、景品捕獲部材が網状であるので、軽量なものとすることができる。景品捕獲部材が軽量になると、引上げ駆動手段の出力を小さなものとすることができる。また、景品捕獲部材が景品載置面や景品に対して当接した時の衝撃を小さくすることができる。
【００１９】
また、本構成によれば、網状の景品捕獲部材に捕獲口閉縮部材が装着されているので、景品捕獲部材が覆い被さった景品を、景品捕獲部材の中に収めて捕獲口をより確実に閉縮し、景品の捕獲を容易にすることが可能である。また、捕獲口閉縮部材は、捕獲口を閉縮させる作用をもつが、景品捕獲部材が回転駆動されるときには、捕獲口を開拡させる力によって捕獲口が開拡され、景品捕獲部材が回転付与手段から切り離されると捕獲口閉縮部材の作用によって捕獲口が閉縮されるようにすることが可能である。例えば、ゴム紐や細いコイルバネを用いて捕獲口閉縮部材とした場合には、上記のような効果を容易に得ることができる。
【００２０】
さらに、本構成によれば、捕獲口に着設された捕獲補助部材が景品の下方に回り込んで景品を下側から引掛けることが可能となる。これにより、景品捕獲部材で全体を覆うことが困難な形状の景品や、突出部や角部がある景品の捕獲を容易にすることができる。
【００２１】
また、捕獲補助部材の重量を変えることで、捕獲口に着設された捕獲補助部材に錘としての効果を与えることが可能である。また、錘としての効果を変化させて景品捕獲部材の拡縮の挙動の特性を変化させることが可能である。
【００２２】
すなわち、捕獲補助部材を重いものにすると錘としての効果が強くなり、景品捕獲部材が下垂している状態にあっては全体に張力が強くかかった状態とし、上下方向に直線的な形状を呈する印象を強めることができる。また、開拡状態にあっては、開拡した状態で張力が強くかかった状態となり、比較的安定した略円錐状を呈し、安定して回転するようになる。
【００２３】
一方、捕獲補助部材を軽量なものとすると、景品捕獲部材は捕獲補助部材の重量による影響を受けにくくなり、部材のたわみ等が伸びにくくなる。また、開拡状態にあっては、端部に着設された錘の効果が小さくなるので、回転する姿形が比較的不安定となりやすい。これにより、景品捕獲部材の特性を調節して、ゲームの難易度を変えたり、視覚的な印象を変えたりすることができる。
【００２４】
本発明の景品捕獲遊技機は、「前記景品載置面は、少なくとも１箇所の突出した形状を呈する突出部を更に備え、前記景品載置面の上に載置される景品の全部または一部を前記突出部に載せて景品の下方に空隙を設けて載置可能である」構成とすることもできる。
【００２５】
本構成によれば、景品載置面に突出部が備えられており、景品の全部または一部を突出部に載せて景品の下方に空隙を形成できる。これにより、景品捕獲部材の下端部を景品の下方にもぐりこませることが可能となる。
【００２６】
景品捕獲部材が下降して景品に接触した時に、景品の下側に景品捕獲部材の下端部がもぐりこんで景品を下側から支持するようにして捕獲しないと、捕獲器を上昇させた時に景品が景品捕獲部材によって保持されにくくなり、景品獲得が困難となる。そのため、従来はクレーンゲーム機の爪状部材に引掛かりやすい形状の景品として、凹凸がある形状のものや、素材が柔軟なものが多用されていた。例としては、ぬいぐるみが挙げられる。凹凸がある形状であったり、柔軟なものであれば、爪状部材で挟んだ時にうまく引っかかって捕獲可能であった。しかし、景品の種類が似通ったものとなりやすく、他のクレーンゲーム機との差別化が難しくなっていた。これに対し、本発明によれば、景品の下方に空隙を設け、景品捕獲部材を下方に潜り込ませることが可能となるので、例えば箱状を呈する景品など、平面に載置すると下側に景品捕獲部材が入り込む隙間がなくなるようなものでも捕獲可能とすることができ、多様な景品を使用することができる。
【００２７】
また、本発明によれば、景品の一部を突出部に載せて傾斜した状態で景品を展示できるので、化粧箱に入っている品物など、上面を遊技者によく見えるように載置した方が良いものを景品とした場合に、景品の上面を遊技者に視認しやすに角度を保って展示することができる。
【００２８】
なお、突出部の配設される位置や間隔について特に限定するものではないが、景品を傾斜させて載置した場合に景品が遊技者によく見えるように載置可能な程度に相互に間隔が開けられていることが望ましい。また、突出部の大きさは、景品全体を載せたときに景品の周囲に景品載置面との間に隙間ができる程度であることが望ましい。また、突出部の高さは、景品の高さよりも低いことが望ましい。
【００２９】
本発明の景品捕獲遊技機は、「前記回転付与手段は可動支持部によって揺動可能に支持されており、前記景品捕獲部材は、前記所定位置において前記回転付与手段によって前記景品捕獲部材の回転軸を略水平方向に揺動可能に支持され、前記景品捕獲部材が前記初期位置にあって前記回転付与手段によって回転駆動される時に、前記景品捕獲部材の回転軸が略水平方向に揺動する」構成とすることもできる。
【００３０】
本構成によれば、回転付与手段によって回転駆動される景品捕獲部材の回転軸線が、略水平方向に揺動可能となっており、初期状態において景品捕獲部材が下垂した状態で回転を開始すると、景品捕獲部材の各部のモーメントのばらつきによって景品捕獲部材の下端部が揺れることで回転軸線にぶれが生じる。回転軸線がぶれ、略水平方向に若干揺動することでさらに景品捕獲部材の下端部は回転の外側に向けて振り出され、各部材が不均等に運動することによって回転しながら開拡を始める。景品捕獲部材は、次第に開拡してゆき、それにともない景品捕獲部材の各部分のモーメントは次第に均等になっていく。そして、ぶれを生じさせたモーメントの偏りが次第に減少してゆき、やがて、略円錐状を呈するまで景品捕獲部材が開いた状態で安定して回転を継続するようになる。
【００３１】
これにより、景品捕獲部材を短時間に開拡させ、自動的に安定させて回転を継続させることが可能となる。回転付与手段及び景品捕獲部材が可動支持部によって支持されておらず、回転の軸線が固定されていると、景品捕獲部材の下端部を外側に振り出すモーメントが小さくて開拡させるのに時間がかかるが、可動支持部によって支持され、回転軸線が略水平方向に揺動可能となっていることで、回転開始にともなって揺れが生じ、スムーズに景品捕獲部材を開拡させることができる。また、略円錐状まで開拡すると、自動的に揺れが収まって安定して回転を継続させることができるので、複雑な制御方法や機構を必要とせず、構成を簡素にできる。なお、本構成によれば、景品捕獲部材の回転軸線の揺動は、移送装置の運動等によって景品捕獲部材に対して力が加わることでも発生させることが可能であるため、景品捕獲遊技機の一連の動作の中で自然に景品捕獲部材を開拡させることができる。
【発明の効果】
【００３２】
このように、本発明によれば、形状及び動きが面白みを感じさせる景品捕獲部材を用いて、景品を狙う直観的な操作方法により景品獲得を行う景品捕獲遊技機を提供することができる。
【発明を実施するための最良の形態】
【００３３】
以下、本発明の一実施形態である景品捕獲遊技機を、図面に基づいて詳細に説明する。
【００３４】
図１乃至図３に基づき説明する。図１は景品捕獲遊技機の構成を示す斜視図であり、図２は景品捕獲装置のレール回動軸付近における各機構を示す平面視における説明図であり、図３は昇降装置の機構を示す右側面視における説明図である。
【００３５】
景品捕獲遊技機１は、操作ボタン２１等を用いて景品捕獲装置１５を作動させて景品Ｋの獲得を行うゲーム機である。以下、図１に基づき景品捕獲遊技機１の構成を説明する。筐体２は中空の直方体状を呈しており、筐体２の内部には略水平な景品載置台６が配設されており、景品載置台６の上方には遊技領域３が形成されている。筐体２の正面にはガラスが入った正面窓４が設けられており、筐体２の左右両側面には同様に側面窓５が設けられており、前方及び側方の広い角度から遊技領域３が視認可能となっている。遊技領域３の上方には２基の景品捕獲装置１５が装着されており、夫々の景品捕獲装置１５は互いに独立して動作可能となっている。景品捕獲装置１５には、景品捕獲器４０が懸架されている。また、筐体２の前面には操作部２０が装着されている。なお、図示しないが、筐体２の内部には、景品捕獲装置１５等の装置類を装着し、支持するための上部フレームが配設されている。ここで、景品捕獲器４０が、本発明の景品捕獲部材に相当し、景品捕獲装置１５が、本発明の移送装置に相当する。
【００３６】
遊技領域３の上方には、遊技者の視界に入りにくい位置に蛍光灯（図示しない）が着設されており、むらなく一様な明るさになるように遊技領域３を照明している。蛍光灯が遊技者に直接視認されないように、正面窓４及び側面窓５は、いずれも筐体２の上端から若干下がった位置に設けられ、上部に下がり壁１０が形成されている。また、遊技領域３の後方に、電気配線等を収容し、遊技者からは見えないように隠蔽する奥パネル９が装着されている。
【００３７】
操作部２０は、正面窓４の下方に遊技者側に若干突出して形成されており、操作ボタン２１とコイン投入口２２とが上面に配設されていて、遊技者が正面窓４を通して遊技領域３の様子を視認しながら景品捕獲遊技機１を操作できるようになっている。また、操作部２０の下方には、ゲームにおいて景品を獲得した場合に景品を取り出すための景品取出口２３が配設されている。景品取出口２３は、景品を取り出す時に開くことができる扉が装着されている。
【００３８】
遊技領域３には景品載置台６が、遊技者の操作する操作部２０の上面と同じ程度の高さにて略水平に広がり、筐体２の内側下方を全面的に覆っている。景品載置台６の遊技者側の端部付近には、獲得した景品を払い出すための景品払出口７が開口されている。景品払出口７は、景品取出口２３と連通している。また、遊技者側が低くなる斜面を備えており、上方から投入された景品を遊技者側に滑り落ちさせて景品取出口２３の内側近傍へと誘導して、景品取出口２３の扉を開くと景品を取出しやすいようになっている。
【００３９】
図１及び図２に示すように、筐体２の内部上方には水平移動レール３１が配設されている。水平移動レール３１は略水平方向に延びる鋼製部材であり、昇降装置５０を水平移動レール３１の長手方向に沿って移動可能に懸架する。昇降装置移送レール３１は、レール回動軸３３を中心として回転可能に、レール回動軸３３及び回動ガイドレール３２によって支持されている。レール回動軸３３は、筐体２の上面内側の近傍に配設された上部フレーム（図示しない）に回転可能に支持されて吊り下げられており、水平移動レール３１の遊技者側の端部に接合されている。回動ガイドレール３２は、レール回動軸３３と同心円弧状を呈しており、水平移動レール３１のレール回動軸３３に接合された側の反対側の端部を、回動ガイドレール３２のレール形状に従って摺動可能に懸架する。レール回動軸３３は、上部フレームに着設された回動モータ３４からローラまたはギヤ等を介して動力が伝達され、水平移動レール３１とともに回動する。下がり壁１０が筐体２に形成されているので、景品捕獲装置１５は、景品捕獲器４０以外の部分は遊技者からは視認しにくくなっている。
【００４０】
図１乃至図３に示すように、昇降装置５０は、昇降装置ケース５１に収容され、懸架部６５によって水平移動レール３１に懸架されている。懸架部６５は移送駆動ベルト３５の動きに応じて水平移動レール３１の長手方向に沿って移動可能に懸架されており、水平移動駆動モータ３８が作動して駆動プーリ３６を経由して移送駆動ベルト３５が回転すると、懸架部６５に装着された昇降装置５０が水平移動レール３１の長手方向に沿って水平移動する。
【００４１】
以下、景品捕獲器４０について、図４及び図５に基き説明する。図４（ａ）は景品捕獲器が停止している状態を示す斜視図であり、図４（ｂ）は景品捕獲器の回転開始時の状態を示す説明図であり、図５（ａ）は景品捕獲器が回転中の状態を示す斜視図であり、図５（ｂ）は景品を収容した状態の景品捕獲器を示す斜視図である。
【００４２】
図４（ａ）及び図４（ｂ）に示すように、景品捕獲器４０は、網部材４１の上端部が捕獲部材基部４４の周部に沿って着設されて構成されている。網部材４１は、ナイロン樹脂等の繊維によって形成された線材からなる網であり、クレーンゲーム機１においては伸張時に略円筒形を呈する形状となっている。捕獲部材基部４４は、樹脂または金属で形成された略円錐形を呈する部材であり、上部に小孔が開口されており吊線５５を通すことができる。懸垂部４６は、捕獲部材基部４４に装着されており、捕獲部材基部４４が転がり軸受によって回転可能に懸垂部４６によって支持されている。また、懸垂部４６は、吊線５５に着設されて吊下げられており、懸垂部４６により景品捕獲器４０は、回転可能に懸垂されている。網取付基部４４は中空となっており、網部材４１の下部には第一補助鎖４２と第二補助鎖４３とが装着されている。第一補助鎖４２は、網部材４１の下端に沿って輪状に取り付けられている。一方、第二補助鎖４３は、同じく網部材４１の下端に、中間部が垂れ下がるように両端を網部材４１に取り付けられている。第一補助鎖４２は１本であるが、第二補助鎖４３は４本であり、隣接する第二補助鎖４３の端部同士が近接した位置で、４本で網部材４１の下端の開口部をループ状に一周するように取り付けられている。第一補助鎖４２及び第二補助鎖４３は金属製であり、網部材４１よりも比重が大きく、網部材４１を下垂させる錘として機能する。また、景品捕獲器４０が回転させられた時には、慣性によって網部材４１の捕獲口４７が外周方向へと振り出された状態で安定させる錘として機能する。さらに、第一補助鎖４２は、景品に覆い被さって捕獲する時に、捕獲口４７を下方に伸張させつつ、下垂して捕獲口４７に取付けられた端部同士を接近させ、捕獲口４７を若干閉縮させる。
【００４３】
図１に示すように、景品載置面６には突起８が多数配設されている。突起８は景品載置面６に一体的に形成されているものであっても、別体で形成されて景品載置面６に着設されているのであってもよい。突起８は、略半球状を呈しており、景品載置面６に載置される景品Ｋを突起８に載せることで景品Ｋの下側に景品載置面６との間に隙間を形成することができるようになっている。景品Ｋは全体が突起８に載るように載置されてもよいし、一部が突起８に載って傾斜した状態で載置されてもよい。
【００４４】
また、図３に示すように、景品捕獲器４０は、吊線５５に接続され、昇降装置５０によって懸垂されており、吊線５５は昇降装置５０の昇降駆動モータ６３に装着された巻上プーリ５２によって出入される。吊線５５は、巻上プーリ５２と景品捕獲器４０との間に配設された第一ガイドプーリ５３と第二ガイドプーリ５４とによってＳ字状に誘導されて吊線５５にかかる張力を安定させている。第一ガイドプーリ５２と第二ガイドプーリ５３との間には、可動片５９が昇降装置ケース５１に対して回転軸５９ｂを中心に回動可能に装着されており、スプリング５９ａによって上方へ向けて付勢されている。可動片５９にはさらに検出用プーリ５８が回転可能に装着されており、検出用プーリ５８はスプリング５９ａの付勢を受けて吊線５５に当接させられている。吊線５５の張力が所定の水準よりも低下すると、スプリング５９ａの付勢を受けている検出用プーリ５８は吊線５５を押し上げるようにして着地センサー５７に検出される位置まで移動する。着地センサー５７は、検出用プーリ５８を検出することで主制御基板８１（図７参照）に検出結果が伝達される。ここで、昇降装置５０は、本発明の保持解除手段に相当する。
【００４５】
また、昇降駆動モータ６３によって吊線５５が巻上プーリ５２に巻き取られ、景品捕獲器４０が可動範囲の上限付近の所定の位置まで上昇すると、景品捕獲装置４０の上昇が上昇位置センサー５６によって検出され、主制御基板８１に検出結果が伝達される。
【００４６】
以下、図２及び図３に基づき、回転付与手段６８について説明する。景品捕獲器４０は、昇降装置５０の下方に懸垂されており、回転付与手段６８によって回転駆動されて全体が略鉛直方向を回転の軸として回転可能となっている。回転付与手段６８は、主に回転駆動モータ６１及び回転駆動ローラ６４によって構成されている。
【００４７】
回転駆動モータ６１には下向きに先細の円錐台状を呈する回転駆動ローラ６４が装着されており、昇降装置ケース５１に可動支持部６６を介して回動可能に装着されている。可動支持部６６の回動軸６６ａは、回転付与手段６８の重心位置よりもやや横にずれた位置に形成されており、景品捕獲器４０が回転駆動ローラ６４に接触する、上昇位置にある時には、回転付与手段６８は景品捕獲器４０の中心に向かって回転付与手段６８の自重によって下垂する作用によって捕獲部材基部４４に押圧される。
【００４８】
図２及び図３に示すように、回転駆動ローラ６４に対して、平面視において景品捕獲器４０の回転軸線を中心として約１２０度の角度をなす左右両側の位置に各１個、合計２個のガイドローラ６０が配設されている。ガイドローラ６０は、ガイドローラ取付基部６２に対してスプリング６２ａを介して付勢された状態で着設されたガイドローラアーム６２ｂに回転可能に軸支されており、捕獲部材基部４４に対してスプリング６２ａによって斜め下方向に対して付勢されて押圧される。これにより、回転駆動ローラ６４と、２個のガイドローラ６０とによって捕獲部材基部４４を３方向から略鉛直方向を回転軸方向として回転可能に支持することが可能となる。捕獲部材基部４４は上向きに先細の略円錐状であり、回転駆動ローラ６４は下向きに先細の略円錐台状であり、円錐面同士で接触して回転力を伝達する。
【００４９】
吊線５５が繰出されると、捕獲部材基部４４と回転駆動ローラ６４及びガイドローラ６０とは分離して景品捕獲器４０のみが下降する。回転駆動ローラ６４及びガイドローラ６０は付勢されて捕獲部材基部４４に押圧されており、景品捕獲器４０の下降開始にともなって捕獲部材基部４４の中央部に向けて動いて一時的に追従するが、可動範囲の限界に達した時点で捕獲部材基部４４と分離する。これにより、景品捕獲器４０に対する回転付与手段からの回転力の伝達が途切れ、景品捕獲器４０は、下降中は慣性によって回転を続ける。
【００５０】
ここで、景品捕獲器４０は、回転駆動ローラ６４及び２個のガイドローラ６０によって３点で押圧され、回転可能に支持されているが、回転駆動ローラ６４及びガイドローラ６０はいずれも可動状態で支持されているため、景品捕獲器４０が回転するにともない、下垂状態における景品捕獲器４０の重心の微小な偏りや回転による部材のゆれ等で生じるモーメントにより、景品捕獲器４０の回転の軸線に若干の略水平方向の揺動が生じる。この揺動の発生により、景品捕獲部材４１が外側に向けて振り出されるようになり、景品捕獲部材４１は揺れながら回転を続ける（図４（ｂ）参照）。この揺れによって、景品捕獲部材４１の各部に不均等なモーメントが発生し、景品捕獲部材４１は開拡を始める。やがて景品捕獲部材４１が開拡し、略円錐状を呈するようになると各部のモーメントが釣り合って円錐の中心軸の方向が鉛直方向に重なる。そして、鉛直方向を中心として、景品捕獲器４０は略円錐状を呈する状態で安定して回転するようになる。
【００５１】
以下、図７に基づき説明する。景品捕獲遊技機１の制御は、主に主制御基板８１と駆動制御基板８２とに分担されている。主制御基板８１は、ＣＰＵ９０、及び記憶装置であるＲＯＭ９１とＲＡＭ９２等を備えており、操作部２０や各種センサーからの入力に応じて駆動制御基板８２に命令を送る。駆動制御基板８２は、ＣＰＵ９３、ＲＯＭ９４、及びＲＡＭ９５等を備えており、主制御基板８１から送られてきた命令に従い、回動モータ３４、水平移動モータ３８、昇降駆動モータ６３、及び回転駆動モータ６１の各モータの発停を制御する。
【００５２】
主制御基板８１からの命令を受けて、景品捕獲制御手段７０は、回転駆動モータ６１の作動を制御する。同じく主制御基板８１からの命令を受けて、景品引上制御手段７１は、昇降駆動モータ６３を制御する。同様に、景品移送制御手段７１は、回動モータ３４及び水平移動モータ３８を制御する。景品排出制御手段７３は、景品捕獲器４０が初期位置へと戻されたときの回転駆動モータ６１の作動を制御する。
【００５３】
主制御基板８１に対する電力供給は、電源基板８３より行う。電源基板８３には、一般の交流電源を使用して電力供給されている。電源基板８３に備えた整流器（図示しない）によって交流を直流へと変換し、電源基板８３より所定の電圧の直流電流を主制御基板８１へと供給する。駆動制御基板８２には主制御基板８１から電力を供給し、回動モータ３４、水平移動モータ２７、昇降駆動モータ６３、及び回転駆動モータ６１への電力供給は、駆動制御基板８２を経由して行われる。
【００５４】
景品捕獲遊技機１は、通電された状態であって、コインが投入される前の段階では待機状態にある。待機状態は、コインの投入を待ち受けている状態であり、操作部２０において他の操作を行おうとしても入力を受け付けない。待機状態にある景品捕獲遊技機１のコイン投入口２２にコインが投入されると、コイン投入検出手段１０１によって検出され、主制御基板８１が景品捕獲遊技機１を準備状態にする。準備状態においては、スタートボタン２１ａが押されるまでは、景品捕獲遊技機１は、その他の操作部２０のボタンからの入力を受け付けず、内蔵スピーカ（図示しない）から音声によるゲームの説明を行うとともに、コインの追加投入を待ち受ける。なお、待機状態及び準備状態においては、図６（ａ）に示すように景品捕獲器４０は停止され、下垂した状態にある。
【００５５】
準備状態において、スタートボタン２１ａが押されると、景品捕獲遊技機１は初期状態となり、回動ボタン２１ｂからの入力を受け付けるようになる。回動ボタン２１ｂを押すと、初期状態が解除され、方向選択状態となり、回動モータ３４が作動し、水平移動レール３１が初期位置から右方向へと回動を開始する。水平移動レール３１が右側の可動範囲の限界に到達すると、右限界センサ１０２によって検出され、回動モータ３４が停止される。また、回動ボタン２１ｂが離されると、回動モータ３４は停止し、水平移動レール３１の回動が停止されて方向が決定される。そして、回転駆動モータ６１が作動し、景品捕獲器４０が回転駆動される（図６（ｂ）参照）。
【００５６】
回動ボタン２１ｂが離されると、方向選択状態が解除され、送出状態となる。前進ボタン２１ｃによって昇降装置５０の移動が行われる。前進ボタン２１ｃが押されると、昇降装置５０は水平移動レール３１の長手方向に従い、遊技者から遠のく方向へと移動を開始する。前進ボタン２１ｃが離されると、昇降駆動モータ６３が作動し、景品捕獲器４０が下降を開始する（図６（ｃ）参照）。景品捕獲器４０が下降して、景品Ｋや景品載置面６に当接して、吊線５５がたるみ、吊線５５に加わっている張力が低下したことが着地センサ５７によって検出されると、水平移動駆動モータ３８、回転駆動モータ６１、及び昇降駆動モータ６３は停止される（図６（ｄ）参照）。また、前進ボタン２１ｃが押されたままで昇降装置５０が水平移動レール３１の末端付近まで移動し、可動範囲の限界に到達すると、前進位置センサ１０４によって検出され、水平移動モータ３８が停止される。
【００５７】
なお、景品捕獲遊技機１においては、初期状態の時は前進ボタン２１ｃからの入力を受け付けない。また、送出状態の時は回動ボタン２１ｂからの入力を受け付けない。つまり、水平移動レール３１の方向を定めた後に昇降装置５０を前進させて景品捕獲器４０を降下させるという遊技方法に定められている。この遊技方法には、操作ミスによって意図しない方向や位置において景品捕獲器４０を下降させてしまうことを防ぐ効果がある。
【００５８】
景品捕獲器４０が景品載置面６まで下降して停止したとき、景品捕獲器４０は、景品Ｋにうまく覆い被さっていると、第一補助鎖４２及びゴム線材４５の働きによって景品Ｋが景品捕獲器４０の中に収容された状態で捕獲口４７が若干閉縮され、景品捕獲器４０を上昇させても景品Ｋが落ちなくなり、景品捕獲器４０の移動に応じて景品Ｋを移送することが可能となる。また、景品Ｋに景品捕獲器４０が覆い被さっていても第一補助鎖４２の内側に収まっていない場合にあっても、第二補助鎖４３によって景品Ｋの突出した部分が引掛けられて、景品Ｋを景品捕獲器４０とともに移送可能となるときがある。この場合にも、ゴム線材４５が捕獲口４７を閉縮する作用によって、捕獲口４７が景品Ｋに押圧されるとともに、第二補助鎖４３を景品Ｋの外側から景品よりへと引き寄せるため、景品Ｋの下側に第二補助鎖４３を回り込ませやすくなっている。
【００５９】
なお、景品Ｋが箱形であるものなど、景品捕獲器４０の捕獲口４７や第二補助鎖４３が景品Ｋの下側に回り込みにくくなっている場合にも、突起８が景品載置台６に多数形成されており、景品Ｋを突起８に一部載せることによって傾斜した状態で載置させることができる。これにより、景品Ｋの下側に隙間ができるので捕獲口４７及び第二補助鎖４３を景品Ｋの下側に回り込ませることが可能となる。
【００６０】
また、景品Ｋが突起８よりも大きい場合には、景品Ｋの全体を突起８に載せることで、景品Ｋの周囲に全体的に景品載置面６との間に隙間を設けて載置することもできる。
【００６１】
昇降駆動モータ６３が停止してから所定の時間が経過すると、送出状態が解除され、帰還状態となる。そして、昇降駆動モータ６３、回動モータ３４、水平移動駆動モータ３８がいずれも逆方向に駆動開始する。すなわち、景品捕獲器４０を上昇させ、かつ水平方向において遊技者側へと接近されながら、景品捕獲装置１５はレール回動軸３３を中心として半時計周りに左へと回動し、当初の位置へと戻ってゆく（図６（ｅ）参照）。
【００６２】
景品捕獲装置１５が回動して初期方向に戻ったら、左限界センサ１０３（図７参照）によって初期方向に戻ったことが検出され、回動モータ３４は動作を停止される。
【００６３】
また、景品捕獲器４０が昇降装置近傍の所定の位置まで上昇したら、上昇位置検出センサ５６によって検出され、昇降駆動モータ６３は動作を停止される。
【００６４】
また、景品捕獲器４０が景品払出口７の直上にあたる初期位置まで水平移動したら、後退位置センサ１０５によって検出され、水平移動駆動モータ３８は停止される（図６（ｆ）参照）。
【００６５】
昇降駆動モータ６３、回動モータ３４、水平移動駆動モータ３８がいずれも停止し、所期位置に戻ったことが検出されると、帰還状態は解除され、景品放出状態となる。景品捕獲器４０が景品Ｋを保持している場合にも、保持していない場合にも、いずれも回転駆動モータ６１が作動し、景品捕獲器４０を回転駆動する。所定の時間回転させられて、景品捕獲器４０は開拡させられると、回転駆動モータ６１は停止する。景品捕獲器４０が景品Ｋを保持していない場合には景品捕獲器４０が回転・開拡するのみであるが、景品捕獲器４０が景品Ｋを保持している場合には、景品捕獲器４０が回転・開拡することで保持していた景品Ｋが放出され、初期位置の下方に位置する景品払出口７に投下される。投下された景品Ｋは、景品払出口７の斜面を滑り落ちて景品取出口２３から取り出せる位置へと移動する（図６（ｇ）参照）。
【００６６】
景品捕獲器４０を投下する動作を再度行った後、景品捕獲装置１５及び景品捕獲器４０が所定の初期位置にあることを再検出し、初期位置にあることが確認されると景品放出状態が解除され、準備状態となってゲームは終了する。景品取出口２３の扉は人手にて開閉自在となっており、遊技者は、景品Ｋを獲得した場合には景品取出口２３を開けて景品を入手することができる。なお、追加コインの投入がなされていれば、スタートボタン２１ａを押すことで再度初期状態へと移行する。また、追加コインが投入されていない場合には、準備状態は解除され、待機状態となる。
【００６７】
このように、本例の景品捕獲遊技機１によれば、景品捕獲器４０は、回転しながら開拡して略円錐状となり、回転を続ける。これにより、従来の爪状部材を使用するクレーンゲーム機よりも動きが豊富でスピード感がある外観を呈し、遊技者に面白みを感じさせることができる。
【００６８】
また、景品捕獲遊技機１によれば、景品捕獲器４０は、柔軟な網部材４１によって景品Ｋを覆うようにして包み込んで捕獲するため、多様な形状の景品Ｋに対応することができる。また、爪状部材ではうまく掴めないような形状の景品Ｋをも捕獲することができるので、さらに多様な景品Ｋを提供することができる。
【００６９】
また、景品捕獲遊技機１によれば、回転付与手段６８から切り離されて、景品捕獲器４０のみが吊下げられた状態で回転しながら下降する。これにより、回転付与手段６８が景品載置面６や景品Ｋに当接して故障したり破損したりする虞を低減させることができる。
【００７０】
さらに、景品捕獲遊技機１によれば、回転付与手段６８が景品捕獲器４０から分離されることで、景品捕獲器４０を構造的に簡素化するとともに軽量化することができる。景品捕獲器４０は、景品捕獲のために遊技領域３において景品Ｋや景品載置面６と当接せざるを得ないため、景品捕獲器４０の簡素化と軽量化とによって、景品捕獲器４０及び景品Ｋの損耗を軽減することができる。
【００７１】
また、従来のクレーンゲーム機は、水平移動で爪状部材を景品の上方にて水平方向に動かして位置合わせをしてから爪状部材を下降させて景品捕獲を図るものであり、言わば位置合わせのゲームであったのに対し、景品捕獲遊技機１によれば、水平移動レール３１を回動させて方向を定めた上で昇降装置５０を前方に移動させ、移動中に景品捕獲器４０を下降させるという遊技方法によって、景品Ｋに向けて狙いを定めて景品捕獲器４０を投下するような遊技性をもたらすことができる。すなわち、景品捕獲遊技機１によれば、より直観的な操作性と面白さとをもたらすことができる。
【００７２】
また、景品捕獲遊技機１によれば、景品捕獲器４０は網部材４１を備えており、全体として回転する網のような外観を呈する。これにより、景品捕獲器４０は柔らかくてしなやかな印象を遊技者に与えることができ、個性的な外観を有する景品捕獲遊技機１を提供できる。また、多様な景品Ｋに対応できるようになっている。例えば、球状のもの、角ばった箱に入ったもの、重心が偏っていて重量バランスが特殊なものなどにも対応可能となっている。さらには、景品Ｋが電気モータ等で動いている玩具等であっても、景品捕獲器４０を用いて捕獲することが可能である。
【００７３】
また、景品捕獲遊技機１によれば、景品捕獲器４０は、捕獲口４７を閉縮させる効果を有するゴム線材４５を備えているので、閉縮時に景品捕獲器４０の中に取り込んだ景品Ｋが脱落することを防止し、景品を獲得しやすくすることができる。
【００７４】
また、景品捕獲遊技機１によれば、景品捕獲器４０には第一補助鎖４２と第二補助鎖４３とが装着されており、網部材４１のみでは捕獲が困難な景品Ｋであっても第一補助鎖４２または第二補助鎖に引掛けて捕獲を補助することが可能であり、ゲームの難易度を調整しやすくなっていると同時に、さらに多様な景品Ｋに対応することが可能となっている。また、第一補助鎖４２と第二補助鎖４３とは錘としても機能し、景品捕獲器４０の形態を安定させる補助的な効果を得ることができる。
【００７５】
また、景品捕獲遊技機１によれば、景品載置面６に突起８が配設されていることにより、景品Ｋと景品載置面６との間に隙間が形成され、捕獲口４７、第一補助鎖４２、及び第二補助鎖４３が景品Ｋの下側に回りこみやすくなっている。これにより、景品Ｋをさらに捕獲しやすくすることができるとともに、景品Ｋを傾斜させて配設できるので景品Ｋを遊技者に見やすい角度をつけて載置することができる。
【００７６】
また、景品捕獲遊技機１によれば、回転付与手段６８は、可動支持部６６によって支持されており、景品捕獲器４０に回転を付与する際に景品捕獲器４０の回転が若干ぶれて回転軸が略水平方向に揺動し、網状部材４１を外側へと振り出して広げることにより、スムーズに景品捕獲器４０を開拡させることができる。
【００７７】
また、景品捕獲遊技機１によれば、回転付与手段６８は、下方が先細となった円錐台状であり、上方が先細となった形状の捕獲部材基部４４に対して押圧されると回転を伝達することが可能であると同時に、景品捕獲器４０が下降することにより捕獲部材基部４４が下降する時に、大きな抵抗なく捕獲部材基部４４と分離することができる。また、景品捕獲器４０が下方から上昇してきた時にも、捕獲部材基部４４と大きな抵抗なく接触し、押圧されて回転を伝達するようにできる。
【００７８】
このように、景品捕獲遊技機１の特徴的な外観と操作性とによって、景品の人気に依存する面を低下させ、遊技者により高い満足感を与えるゲームを提供することができる。
【００７９】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００８０】
すなわち、上記実施形態では、遊技場などに設置される固定式の大形の景品捕獲遊技機を例として示したが、大きさや設置方式などはこれに限定されるものではなく、回転する網を捕獲装置に利用した様々な景品捕獲遊技機を提供することができる。例えば、より小形の家庭用のゲーム機であってもよい。また、移送可能に設置されていてもよく、例えば車載された景品捕獲遊技機であってもよい。
【００８１】
また、上記実施形態では、初期状態と待機状態とにおいて特に遊技者に認識されるような外観上の違いは示されていないが、例えば、ＬＥＤ等を備えて発光演出を行ったり、内蔵スピーカから出力する音楽に変化を与えたりしてゲーム開始を演出し、興趣を高めるものとしてもよい。また、景品捕獲器４０の特徴を示す所定の動作を行ってみせる演出を行ってもよい。
【００８２】
また、上記実施形態では、回動ボタン２１ａを押し続けて水平移動レール３１を可動範囲の限界まで回動させた場合には回動モータ３４が停止するものを示したが、この制御方法に限定されるものではなく、例えば、可動範囲の限界に到達したら、回動モータ３４を正逆反転させて作動させるようにしてもよい。つまり、回動ボタン２１ａを押している間は水平移動レール３１は可動範囲の限界に達しても首振り動作を行うようになる。これによれば、遊技者が方向決定のタイミングを逃したと感じた場合にも、再度方向決定を行うチャンスを得ることができるので、ゲームの興趣が損なわれる虞を抑制することができる。
【００８３】
また、上記実施形態では、遊技領域３の照明は、筐体２の内部に備えられた蛍光灯で行うものを示したが、これに限定されるものではなく、白熱灯、ハロゲン灯、ＬＥＤ等を用いて照明を行うものでもよい。また、照明器具は、筐体２の上部に備えられるものに限定するものではなく、奥パネル等に備えられていてもよい。また、景品載置面６や突起８が透光性を有する素材で形成されていて発光するようになっていてもよいし、昇降装置５０に照明器具を備えているものであってもよい。景品載置面６や突起８を発光させると、視覚的に面白い演出効果を生じさせることができる。また、昇降装置５０に照明器具を備えていると、狙った景品Ｋの周辺を特に明るく照明することができるので、遊技の興趣が高まることが期待できる。
【００８４】
なお、上記実施形態においては、昇降駆動モータ６３が吊線５５を繰り出して景品捕獲器４０を下降するものを示したが、景品捕獲器４０を下降させる方法はこれに限定されるものではなく、例えば、昇降駆動モータ６３の動力を利用せず、重力に従って景品捕獲器４０を自然落下させるものであってもよい。また、重力に従って景品捕獲器４０を降下させるものであって、巻上プーリ５２等にブレーキが装着されていて降下速度を調整するものであってもよい。これにより、より高速に景品捕獲器４０を降下させてスリルのあるゲームを行うものとしたり、景品捕獲器４０の降下速度が自然に変化して、降下するにともない加速するものとすることができる。
【００８５】
また、上記実施形態では、上方に配設された蛍光灯を用いて景品捕獲遊技機１の内部を照明するものを示したが、照明装置の種類、形状、配設箇所等はこれに限定されるものではなく、ＬＥＤなどを用いて照明するものであってもよい。従って、照明装置を隠蔽する下がり壁１０に関しても、上記実施形態と同様のものに限定されるものではなく、異なる形状であってもよいし、景品捕獲遊技機１は下がり壁１０を必ずしも備えていなくてもよい。
【００８６】
また、上記実施形態では、駆動制御基板８２は、ＣＰＵ９３、ＲＯＭ９４、ＲＡＭ９５を備えたものを示したが、集積回路で代用して構成をより簡素化してもよい。
【００８７】
さらに、上記実施形態では、第二補助鎖４３が４本の部材から構成されているものを示したが、これに限定されるものではなく、例えば１本の鎖状の部材によって構成されており、複数の箇所で網部材４１の下端に着設されて開口部を一周するように取り付けられているものであってもよい。また、第二補助鎖４３が着設される箇所は４箇所に限定されるものではなく、景品Ｋの下方に周り込んで景品捕獲を補助することが可能であればよいので、着設される箇所は３箇所であってもよいし、５箇所であってもよく、さらに多数の箇所で着設されているものであってもよい。
【００８８】
さらに、上記実施形態では、景品捕獲器４０の回転軸線が略水平方向にのみ揺動するものを示したが、これに限定されるものではなく、景品捕獲器４０が回転軸線の傾斜の変化を伴って揺動するものであってもよい。
【図面の簡単な説明】
【００８９】
【図１】本実施形態の景品捕獲遊技機の構成を示す斜視図である。
【図２】景品捕獲装置のレール回動軸付近における各機構を示す平面視における説明図である。
【図３】昇降装置の機構を示す右側面視における説明図である。
【図４】景品捕獲器の構成および捕獲口の開閉過程を示す説明図である。
【図５】景品捕獲器の構成および捕獲口の開閉過程を示す説明図である。
【図６】ゲームの流れを示す説明図である。
【図７】制御構成を概略的に示すブロック図である。
【符号の説明】
【００９０】
Ｋ  景品
１  景品捕獲遊技機
６  景品載置面
７  景品払出口
８  突起  （突出部）
１５  景品捕獲装置  （移送装置）
２８  水平移動駆動手段
２９  昇降駆動手段
３０  移送装置
３１  水平移動レール
３３  レール回動軸
３４  回動モータ  （回動駆動手段）
３８  水平移動駆動モータ  （水平移動駆動手段）
４０  景品捕獲器  （景品捕獲部材）
４１  網部材
４２  第一補助鎖  （捕獲補助部材）
４３  第二補助鎖  （捕獲補助部材）
４４  捕獲部材基部
４５  ゴム線材  （捕獲口収縮部材）
４６  懸垂部
４７  捕獲口
５０  昇降装置  （保持解除手段）
５５  吊線  （紐状部材）
６３  昇降駆動モータ  （引上げ駆動手段）
６６  可動支持部
６８  回転付与手段
７０  景品捕獲制御手段
７１  景品引上制御手段
７２  景品移送制御手段
７３  景品排出制御手段
【図１】
2008113751.tif 000003
【図２】
2008113751.tif 000004
【図３】
2008113751.tif 000005
【図４】
2008113751.tif 000006
【図５】
2008113751.tif 000007
【図６】
2008113751.tif 000008
【図７】
2008113751.tif 000009